(57)【要約】【課題】パッティングのストロークにおいて芝の抵抗を減衰させる。【解決手段】リーディングエッジ（３）のソール（４）からの高さを３〜２４．３５ｍｍの範囲内に形成し、ソール（４）とリーディングエッジ（３）との間に面取り部（５）を形成した。【選択図】図１
2009045338.tif 000002
【特許請求の範囲】
【請求項１】
リーディングエッジのソールからの高さを３〜２４.３５ｍｍの範囲内に形成し、
ソールとリーディングエッジとの間に面取り部を形成したことを特徴とするパターヘッド。
【請求項２】
前記面取り部の形状を、円弧面、傾斜面、円弧と傾斜の複合面のいずれかとしたことを特徴とする請求項１に記載のパターヘッド。
【発明の詳細な説明】
【技術分野】
【０００１】
本発明は、ゴルフで使用するパターのヘッドに関し、特にパターヘッドの芝抵抗減衰を図るためにリーディングエッジを改良したパターヘッドに関する。
【背景技術】
【０００２】
芝抵抗によるヘッドスピード減少やヘッドのブレは、インパクトが不安定になり問題視されてきた。この芝抵抗によるヘッドスピード低下やヘッドのブレを防ぐために、ソール形状を凸形状にしたり、ソールに下駄を履かせるなどのソール面の対策のほか、リーディングエッジに関するものとして、フェースの四隅にアールをつけた上でリーディングエッジのアールを大きくしてソールの接地面積を小さくし、ソールの抵抗を少なくしてヘッドスピード減少を防止するアイアンクラブヘッドが知られている（特許文献１）。さらに、ソール中央付近から打面に向かって、ソールを斜め上向きの傾斜面に形成したことを特徴とするウッドタイプのゴルフクラブヘッドが知られている（特許文献２）。これらは、主としてダフリ時の芝との摩擦抵抗を減じる取り組みである。
【特許文献１】特開２００７−０４４４０号公報（第３、４頁、図２、３）
【特許文献２】特開２００１−３５３２４１号公報（第２頁、図２）
【発明の開示】
【発明が解決しようとする課題】
【０００３】
芝面すれすれにパターヘッドのソールが平行移動するパッティングストロークは、芝と断続的に接しながらボールとのインパクトとなる。しかし、アベレージゴルファーの場合、ロングパットと言われる長い距離でのストロークでは、ヘッドと芝面との間隔が安定せず、芝とパターソール間の摩擦だけではなく、芝とパターヘッドのリーディングエッジの衝突、あるいは絡みがあり、芝高さの長いコーライグリーンなどでは、ヘッドがボール手前で芝に引っかかり、前進しないという現象が生じるほど、初心者ゴルファーを悩ませた。このようなパターヘッド特有の不具合については、特許文献１、２に開示された従来技術では解決できず、パッティング時にヘッドのリーディングエッジと芝との接触を避ける工夫が求められていた。
【０００４】
そこで、本発明は、パッティング時に芝抵抗減衰を図ったパターヘッドを提供することを目的とする。
【課題を解決するための手段】
【０００５】
上述の目的を達成するため、本発明は、リーディングエッジのソールからの高さを３〜２４.３５ｍｍの範囲内に形成し、ソールとリーディングエッジとの間を面取り部に形成したものである。
【発明の効果】
【０００６】
本発明によれば、リーディングエッジのソールからの高さを３〜２４.３５ｍｍの範囲内に形成し、ソールとリーディングエッジとの間を面取り部に形成したので、ヘッドとグリーンの芝との抵抗を減衰することができる。また、芝の中に深く入ったパターがストロークと共に傾斜面の角度によって、浮上する効果も期待できる。
【発明を実施するための最良の形態】
【０００７】
以下に、本発明の実施形態を図面を参照にして説明する。
【０００８】
図１は、ピン型のパターヘッドを示し、ヘッド本体１は、ボールをヒットするフェース２を有し、このフェース２の最下縁となるリーディングエッジ３とソール４との間に面取り部５を形成してある。また、ヘッド本体１のフェース２の一端がトウ６、他端がヒール７となる。これらトウ６とヒール７の両側の後側に厚肉部８、９を形成し、ヒールアンドトウバランスを図っている。
【０００９】
図２は、図１のＡ―Ａ線断面を示し、ソール４を正しくソールした状態のソール４からリーディングエッジ３までの高さｈを最小で３ｍｍとし、最大でボール半径（約２１.４ｍｍ）＋３ｍｍとした。高さｈの最小３ｍｍは、グリーンの芝の高さは、およそ３〜５ｍｍであることから、パッティングストロークでダフってもリーディングエッジまでの高さｈが３ｍｍあれば、芝の抵抗を減らすことができるからである。高さｈの最大２４.４ｍｍは、パターのソール４が芝の根元を走る場合でもボールをヒットできるように芝の高さ３ｍｍ＋ボールの半径約２１.４ｍｍとしたものである。
【００１０】
図３は、ボール１０が芝１１の上にあり、パターのヘッド本体１が芝１１の根元を走る場合、すなわちダフってボール１０に当る場合を示す。このヘッド本体１の面取り部５は、直線的な傾斜面（２０〜７０°の傾斜、好ましくは４５°前後）に形成してある。また、ソール４もトウ６とヒール７との間が、中央で下方に膨らんだアーチ状のものでは、ボール１０をヒットすることの多いフェース２のエリアの下方エリアの面取り部５の面積をトウ６とヒール７寄りのエリアの面取り部５の面積よりも大きくしたり、高さｈをトウ６やヒール７側よりも高くすることもできる。
【００１１】
図４及び図５は、面取り部５の形状を円弧状にしたものと、円弧と傾斜を組合せた複合面としたものを示す。この面取り部５の形状は、芝からの抵抗を減らすように工夫したものであれば、図示したものに限らない。
【００１２】
パターヘッドの形状も、ピン型に限らず、マレット型やＬ字型、キャシュイン型など種々の形状のものであってもよい。従来のあらゆる型のパターのヘッドにおけるリーディングエッジは、ソールとのつなぎ目にアールがつけられた程度（高さｈは、せいぜい１〜１.５ｍｍ程度）であったのを、最小で高さｈを３ｍｍとしたことと、面取り部５を形成することで、芝高さ３〜５ｍｍのグリーン上で、若干ダフっても芝の抵抗を少なくすることができ、長い距離のパッティングでも著しくショートするのを防ぐことができるものである。
【００１３】
パッティングの上手な人が、パターヘッドをグリーンの芝１１の上面すれすれを滑らせてボール１０をインパクトしたと仮定した場合、ボール１０とフェース２の接触点高さは、ボール半径に等しく、それより上でボール１０とフェース２とが接触することはない。反対に、パッティングの下手な人の場合、図３のようにダフってボール１０をヒットした場合、ボール１０とフェース２との接触点高さは、ボール半径に芝高さを加えた高さに等しく、それより上でボール１０とフェース２とが接触することはない。
【図面の簡単な説明】
【００１４】
【図１】本発明の実施形態を示す斜視図。
【図２】図１のＡ―Ａ線断面図。
【図３】ダフった状態でボールをヒットする説明図。
【図４】面取り部を円弧状に形成した簡略側面図。
【図５】面取り部を傾斜面と円弧面とを組合わせて形成した簡略側面図。
【符号の説明】
【００１５】
１    ヘッド本体
２    フェース
３    リーディングエッジ
４    ソール
５    面取り部
【図１】
2009045338.tif 000003
【図２】
2009045338.tif 000004
【図３】
2009045338.tif 000005
【図４】
2009045338.tif 000006
【図５】
2009045338.tif 000007